(57)【要約】【課題】構造簡単、開閉容易の展示部品用の鎖を提供する。【解決手段】鎖本体１０と、係合ロッド２０と、内部シリンダー３０と、ロープ付け金具４０と、フック部材５０と、下部シリンダー６０とからなる。鎖本体１０は、鎖芯１３及び中間シリンダー１６を備え、鎖芯１３に収容部１３０及び固定溝１３１を形成し、中間シリンダー１６の外壁に固定孔１６２を形成し、係合ロッド２０の上端に固定ブロック２００を設けた。固定ブロック２００が収容部１３０の内部に置き込まれ、係合ロッド２０と鎖芯１３とが結合され、下部シリンダー６０の内部にフック部材５０及び内部シリンダー３０が置き込まれ、外部にロープ付け金具４０が設けられ、固定孔１６２に略コ字形の固定部材１５０を貫通することにより、係合ロッド２０と中間シリンダー１６とが結合されることを特徴とする。【選択図】  図１
2004183397.tif 000002
【特許請求の範囲】
【請求項１】
鎖本体（１０）と、係合ロッド（２０）と、内部シリンダー（３０）と、ロープ付け金具（４０）と、フック部材（５０）と、下部シリンダー（６０）とを備える展示部品用の鎖であって、
鎖本体（１０）はカバー（１１）と、リング状ブロック（１２）と、鎖芯（１３）と、スプリング（１４）と、係合部材（１５）と、中間シリンダー（１６）からなり、中間シリンダー（１６）の外壁に位置決め孔（１６１）及び固定孔（１６２）が形成され、内部にスプリング（１４）を付ける鎖芯（１３）が設けられ、該鎖芯（１３）は下部周囲に対向の固定溝（１３１）が形成される共に、略コ字形の固定部材（１５０）が固定孔（１６２）を貫通することにより、中間シリンダー（１６）と結合され、鎖芯（１３）を装置した中間シリンダー（１６）はカバー（１１）の内部に置き込むと共に、固定部材（１００）がカバー（１１）の外壁における貫通孔（１１０）と中間シリンダー（１６）における位置決め孔（１６１）を設けることにより、カバー（１１）と相互に固定され、
鎖芯（１３）の下部に収容部（１３０）が形成されると共に、係合ロッド（２０）の上端に鎖芯（１３）における収容部（１３０）の内部に置き込まれる固定ブロック（２００）が設けられることにより、係合ロッド（２０）と鎖芯（１３）とが結合され、
下部シリンダー（６０）は内部にフック部材（５０）及び内部シリンダー（３０）が置き込まれると共に、外部にロープ付け金具（４０）が設けられ、該下部シリンダー（６０）が鎖本体（１０）の下方内部に放置されることを特徴とする展示部品用の鎖。
【請求項２】
中間シリンダー（１６）の上端に複数のばね及びロッドを有する係合部材（１５）を収容するための複数の孔（１６０）が形成され、中間シリンダー（１６）の上部に係合部材（１５）を収容できるリング状ブロック（１２）が設けられることを特徴とする請求項１に記載の展示部品用の鎖。
【請求項３】
ロープ付け金具（４０）に金属ロープが設けられることを特徴とする請求項１又は請求項２に記載の展示部品用の鎖。
【発明の詳細な説明】
【０００１】
【発明の属する技術分野】
本発明は、特に構造簡単、開閉容易の展示部品用の鎖に関するものである。
【０００２】
【従来の技術】
従来の展示部品用の鎖はカバーに金属ロープが設けられると共に、この金属ロープが展示部品に巻き込まれることにより、展示部品の盗難を防止している。知られた展示部品の鎖は下記の二種類がある。
１、ナンバーを付けるリングが設けられる鎖は、例えば、「ナンバー鎖」（特許文献１参照）と、「部品を貫通して該部品をロックする金属ロープ鎖」（特許文献２参照）であり、鎖本体にカバーと、ナンバーリングと、係合ロッドと、スプリングなどの係合部材が設けられる構造を有することにより、展示部品をロックできる。
２、カギを配合する鎖は、閉鎖又は開鎖の際、必ずカギによって鎖の内部における係合ロッドを制御して閉鎖又は開鎖を行っている。
【０００３】
【特許文献１】台湾公告第４３５５４１号
【特許文献２】台湾公告第４１８９０８号
【０００４】
【本発明が解決しようとする課題】
しかしながら、上記の二種類の鎖には、以下のような問題がある。
１、ナンバーを付けるリングが設けられる鎖は製造複雑、そして製造コストが高く、組合わせも面倒である。
２、カギを配合する鎖は閉鎖又は開鎖の際、必ずカギを配合して閉鎖又は開鎖を行うことができるので、大型展示会の場合には管理者が大量のカギを管理しなければならなく、非常に面倒である。
【０００５】
そこで、出願されたのが本発明であって、構造簡単、開閉容易の展示部品用の鎖を提供することを目的としている。
【０００６】
【課題を解決するための手段】
本願の請求項１の発明は、鎖本体（１０）と、係合ロッド（２０）と、内部シリンダー（３０）と、ロープ付け金具（４０）と、フック部材（５０）と、下部シリンダー（６０）とを備える展示部品用の鎖であって、
鎖本体（１０）はカバー（１１）と、リング状ブロック（１２）と、鎖芯（１３）と、スプリング（１４）と、係合部材（１５）と、中間シリンダー（１６）からなり、中間シリンダー（１６）の外壁に位置決め孔（１６１）及び固定孔（１６２）が形成され、内部にスプリング（１４）を付ける鎖芯（１３）が設けられ、該鎖芯（１３）は下部周囲に対向の固定溝（１３１）が形成されると共に、略コ字形の固定部材（１５０）が固定孔（１６２）を貫通することにより、中間シリンダー（１６）と結合され、鎖芯（１３）を装置した中間シリンダー（１６）はカバー（１１）の内部に置き込むと共に、固定部材（１００）がカバー（１１）の外壁における貫通孔（１１０）と中間シリンダー（１６）における位置決め孔（１６１）を設けることにより、カバー（１１）と相互に固定され、
鎖芯（１３）の下部に収容部（１３０）が形成されると共に、係合ロッド（２０）の上端に鎖芯（１３）における収容部（１３０）の内部に置き込まれる固定ブロック（２００）が設けられることにより、係合ロッド（２０）と鎖芯（１３）とが結合され、
下部シリンダー（６０）は内部にフック部材（５０）及び内部シリンダー（３０）が置き込まれると共に、外部にロープ付け金具（４０）が設けられ、該下部シリンダー（６０）が鎖本体（１０）の下方内部に放置（摺動自在に配置）されることを特徴とする展示部品用の鎖及び、
本願の請求項２の発明は、中間シリンダー（１６）の上端に複数のばね及びロッドを有する係合部材（１５）を収容するための複数の孔（１６０）が形成され、中間シリンダー（１６）の上部に係合部材（１５）を収容できるリング状ブロック（１２）が設けられることを特徴とする請求項１に記載の展示部品用の鎖及び、
本願の請求項３の発明は、ロープ付け金具（４０）に金属ロープが設けられることを特徴とする請求項１又は請求項２に記載の展示部品用の鎖、
を提供する。
【作用】
本発明は上記の課題を解決するものであり、鎖芯を押圧することにより、鎖芯における固定溝と略コ字形の固定部材とを係合できると共に、鎖芯と同時に連動して、下部シリンダーの下方へ突出する係合ロッドとフック部材を展示部品における係合孔に係合して鎖と展示部品とを相互に固定することができ、従って、カギが要らなくて、便利に上錠（鎖を閉鎖して固定）することができる。
【０００７】
【発明の実施の形態】
以下、添付図面を参照して本発明の好適な実施の形態を詳細に説明する。
【０００８】
図１は本発明に係わる展示部品用の鎖の分解斜視図であり、図２は本発明に係わる展示部品用の鎖の一部分解斜視図であり、図３は本発明に係わる展示部品用の鎖において展示部品と係合前状態を示す断面図であり、図４は本発明に係わる展示部品用の鎖において展示部品と係合している状態を示す断面図であり、図５は本発明に係わる展示部品用の鎖において展示部品と係合後状態を示す断面図である。
【０００９】
図１及び図２に示すように、本発明の展示部品用の鎖は鎖本体（１０）と、係合ロッド（２０）と、内部シリンダー（３０）と、ロープ付け金具（４０）と、フック部材（５０）と、下部シリンダー（６０）とを備える。
【００１０】
鎖本体（１０）はカバー（１１）と、リング状ブロック（１２）と、鎖芯（１３）と、スプリング（１４）と、係合部材（１５）と、中間シリンダー（１６）からなり、中間シリンダー（１６）の上端に複数のばね及びロッドを有する係合部材（１５）を収容するための複数の孔（１６０）が形成されると共に、中間シリンダー（１６）の外壁に位置決め孔（１６１）及び固定孔（１６２）が形成され、中間シリンダー（１６）の上部に係合部材（１５）を収容できるリング状ブロック（１２）が設けられる。中間シリンダー（１６）の内部にスプリング（１４）を付ける鎖芯（１３）が設けられ、該鎖芯（１３）は下部周囲に対向の固定溝（１３１）が形成されると共に、略コ字形の固定部材（１５０）が固定孔（１６２）に貫通されることにより、中間シリンダー（１６）と結合される。鎖芯（１３）を装置した中間シリンダー（１６）はカバー（１１）の内部に置き込まれると共に、固定部材（１００）をカバー（１１）の外壁における貫通孔（１１０）と中間シリンダー（１６）における位置決め孔（１６１）に挿通して設けることにより、カバー（１１）と相互に固定される。この鎖本体（１０）は従来の構造と等しいため、詳しい説明を省略してある。
【００１１】
上記の鎖芯（１３）の下部に収容部（１３０）が形成される。係合ロッド（２０）の上端には固定ブロック（２００）が設けられ、固定ブロック（２００）が鎖芯（１３）における収容部（１３０）の内部に置き込まれることにより、係合ロッド（２０）が鎖芯（１３）と結合される。
【００１２】
下部シリンダー（６０）は内部にフック部材（５０）及び内部シリンダー（３０）が置き込まれると共に、外部に金属ロープ（符号なし）を有するロープ付け金具（４０）が設けられ、該下部シリンダー（６０）が鎖本体（１０）の下方内部に放置されることができる。
【００１３】
図３乃至図５に示すように、本発明に係る展示部品用の鎖を使用する際、先ず下部シリンダー（６０）の下方へ突出するフック部材（５０）が展示部品（７０）における係合孔（７００）に放置して、カバー（１１）の上方へ突出する鎖芯（１３）をカバー（１１）の内部へ押圧すると共に、略コ字形の固定部材（１５０）が鎖芯（１３）における固定溝（１３１）に定位されながら、スプリング（１４）が圧縮されて付勢することにより、係合ロッド（２０）が展示部品（７０）における係合孔（７００）へ突出すると共に、フック部材（５０）と同時に展示部品（７０）に固定される。これにより、カギを要らないまま、鎖芯（１３）を押圧することで本発明の鎖は展示部品（７０）と結合することができる。
【００１４】
解錠する際、カギ（符号なし）によって鎖芯（１３）を回転させると共に、略コ字形の固定部材（１５０）を鎖芯（１３）における固定溝（１３１）から脱出させ、スプリング（１４）の付勢力によって鎖芯（１３）と係合ロッド（２０）が同時にカバー（１１）の上方へ移動されることにより、フック部材（５０）を展示部品（７０）における係合孔（７００）から取り出させることができる。
【００１５】
【発明の効果】
本発明は上記の構造を有するので、カギが要らなくて、鎖芯を押圧することにより、鎖芯における固定溝と略コ字形の固定部材とを係合できると共に、鎖芯と同時に連動して、下部シリンダーの下方へ突出する係合ロッドとフック部材を展示部品における係合孔に係合して鎖と展示部品とを相互に固定することができ、従って、便利に上錠することができる。更に、本発明に用いる部材が少なく、従って、組合わせが簡単であり、製造コストを縮減する効果も期待できる。
【図面の簡単な説明】
【図１】本発明に係わる展示部品用の鎖の分解斜視図である。
【図２】本発明に係わる展示部品用の鎖の一部分解斜視図である。
【図３】本発明に係わる展示部品用の鎖において展示部品と係合前状態を示す断面図である。
【図４】本発明に係わる展示部品用の鎖において展示部品と係合している状態を示す断面図である。
【図５】本発明に係わる展示部品用の鎖において展示部品と係合後状態を示す断面図である。
【符号の説明】
１０        鎖本体
１００      固定部材
１１０      貫通孔
１１        カバー
１２        リング状ブロック
１３        鎖芯
１３０      収容部
１３１      固定溝
１４        スプリング
１５        係合部材
１５０      固定部材
１６        中間シリンダー
１６０      孔
１６１      位置決め孔
１６２      固定孔
２０        係合ロッド
２００      固定ブロック
３０        内部シリンダー
４０        ロープ付け金具
５０        フック部材
６０        下部シリンダー
７０        展示部品
７００      係合孔
【図１】
2004183397.tif 000003
【図２】
2004183397.tif 000004
【図３】
2004183397.tif 000005
【図４】
2004183397.tif 000006
【図５】
2004183397.tif 000007